(57)【要約】【課題】ドリル装置を保持する角度及び位置決めの確認を容易且つ迅速に行うことができ、鉛直孔又は水平孔の穿孔作業を正確且つ迅速に行うことを可能とする。又、既存のドリル装置にも使用できる、汎用性のある気泡式水準器を備えたドリル装置用角度ゲージを提供する【解決手段】ドリル装置本体１０に設けられたゲージ取付部６１の取付孔６２に挿入される直線状の固定棒２に気泡式水準器３を固定したことを特徴とするドリル装置用角度ゲージ１。【選択図】図６
2010023204.tif 000002
【特許請求の範囲】
【請求項１】
ドリル装置本体に設けられたゲージ取付部の取付孔に挿入される直線状の固定棒に、気泡式水準器を固定したことを特徴とするドリル装置用角度ゲージ。
【請求項２】
前記気泡式水準器は、丸型の密閉容器を備え、前記気泡式水準器は前記固定棒の長手方向に対し直交する面と水平に設置したことを特徴とする請求項１に記載のドリル装置用角度ゲージ。
【請求項３】
前記気泡式水準器は、水平管型の密閉容器を備え、前記気泡式水準器は前記固定棒の長手方向に対し前記水平管型の密閉容器の長手方向を平行に設置したことを特徴とする請求項１に記載の記載のドリル装置用角度ゲージ。
【請求項４】
前記固定棒には、２個の気泡式水準器を固定し、１個の気泡式水準器は、丸型の密閉容器を備え、前記固定棒の長手方向に対し直交する面と水平に設置し、他の１個の気泡式水準器は、水平管型の密閉容器を備え、前記固定棒の長手方向に対し前記水平管型の密閉容器の長手方向を平行に設置したことを特徴とする請求項１に記載のドリル装置用角度ゲージ。
【請求項５】
前記気泡式水準器は、前記丸型の密閉容器を保持し、前記固定棒に固定する支持部を備え、該支持部の上下面に目視孔を設けたことを特徴とする請求項２又は４に記載のドリル装置用角度ゲージ。
【請求項６】
前記気泡式水準器は、前記水平管型の密閉容器を保持し、前記固定棒に固定する支持部を備え、該支持部の上下及び両側面に目視孔を設けたことを特徴とする請求項３又は４に記載のドリル装置用角度ゲージ。
【請求項７】
前記気泡式水準器を前記固定棒の長手方向の略中央位置に固定し、前記固定棒の前記気泡式水準器の固定部位から一方の先端までの部分と他方の先端までの部分を異なる断面形状に形成したことを特徴とする請求項１から６のうちいずれか１項に記載のドリル装置用角度ゲージ。
【請求項８】
前記固定棒に前記気泡式水準器を照らす照明機構を設けたことを特徴とする請求項１から７のうちいずれか１項に記載のドリル装置用角度ゲージ。
【請求項９】
前記請求項１から８のうちいずれか１項に記載のドリル装置用角度ゲージを、前記固定棒をドリル装置本体に設けられたゲージ取付部の取付孔に挿入して、ドリル本体に固定したことを特徴とするドリル装置。
【発明の詳細な説明】
【技術分野】
【０００１】
本発明はドリル装置用角度ゲージ及びドリル装置用角度ゲージを備えたドリル装置に関し、詳しくは、振動ドリル、ハンマードリル等のドリル装置を用いて、水平又は鉛直方向への穿孔を補助するドリル装置用角度ゲージ及びドリル装置用角度ゲージを備えたドリル装置に関する。
【背景技術】
【０００２】
天井、壁、床等にネジ孔等を穿孔するために携帯用のドリル装置を用いることが広く行われている。しかし、この孔を鉛直又は水平に穿孔することは熟練の作業員でも容易ではなく、特に、足場が不安定な場所での作業、作業スペースが充分広くない場所での作業、上向きでの作業、穿孔する部位の表面が水平或いは鉛直でない場合等では、穿孔角度を鉛直又は水平とすることは極めて困難で、必ず誤差が生じてしまっていた。
【０００３】
そこで、携帯用ドリル装置に気泡式水準器を設け、水平又は鉛直に穿孔することを容易とする携帯用ドリル装置が提案されている。具体的には、気泡式の水準器を、ドリル本体に３次元に傾転可能に、ベルベットファスナーや磁石体を用いて着脱可能に取付つけたドリル装置（特許文献１、２参照。）や、全方向の水平度を確認し得る気泡式水準器に設けた鍔部をドリル本体に設けたＬ字断面の取付金具に挿入して或いはマグネットや両面テープを用いて気泡式水準器をドリル本体に着脱自在に取り付けたドリル装置（特許文献３参照。）が提案されている。
【０００４】
【特許文献１】特開２００５−２３３７３９号公報
【特許文献２】特開２００４−３５８６４１号公報
【特許文献３】特開平７−２１４４０８号公報
【発明の開示】
【発明が解決しようとする課題】
【０００５】
しかし、これらの従来技術では、ベルベットファスナー、磁石体、両面テープを用いて気泡式水準器をドリル本体に設置するので、錐が水平或いは鉛直に位置することを水準器が示すことが可能なように正確に、水準器をドリル本体に設置することが困難であり、特許文献１及び２においては、ドリル本体を、直角芯出し具なる別個の器具を用いて被加工面に直角に位置させた状態で、水準器を調整すること等が必要であり、水準器の設置が煩雑であった。
【０００６】
又、特許文献３に記載の技術においては、水準器に設けた鍔部をドリル本体に設けたＬ字断面の取付金具に挿入しているので、ドリル本体に設けたＬ字断面の取付金具を有していないドリル装置には取り付けることは出来ず、汎用性がないものであった。又、通常、ドリル本体は略全面が曲面状に形成され、平面部を有していないし、しかも平面部が錐と平行状態である必要があるので、ドリル本体の設計が極めて限定され、汎用性がないものであった。更に、Ｌ字断面の取付金具にスライドして水準器を取り付ける構成であるので、水準器にガタツキが生じやすく、正確に水平を示すことが出来ない虞があった。
【０００７】
又、従来技術では、気泡式水準器の気泡位置を一定方向からしか確認することが出来ず、狭い場所での穿孔作業や、錐先を上に向けて鉛直孔を穿孔する作業をする場合等には、水準器の指示を目視することは極めて困難であるという欠点を有していた。
【０００８】
そこで、本発明は上記課題を解決し、ドリル装置、特に携帯用ドリル、ハンマードリルで、天井及び床等に鉛直孔又は水平孔を穿孔する際に、ドリル装置を保持する角度及び位置決めの確認を容易且つ迅速に行うことができ、鉛直孔又は水平孔の穿孔作業を正確且つ迅速に行うことを可能とすることを目的とする。又、ドリル本体に容易、且つ正確に、錐が水平或いは鉛直に位置することを気泡式水準器が示すことが可能なように設置可能とすることを目的とする。
【０００９】
又、気泡式水準器を設置するために特別な機構を必要とせず、ドリル本体の設計に影響を与えずに、既存のドリル装置にも使用できる、汎用性のある気泡式水準器を備えたドリル装置用角度ゲージを提供することを目的とする。
【００１０】
又、メンテナンスが不要で、取替え容易で、どのような作業体勢でも容易に目視可能なドリル装置用の鉛直孔又は水平孔の穿孔作業の補助をするドリル装置用角度ゲージ器具を提供することを目的とする。
【課題を解決するための手段】
【００１１】
上記課題を解決するための手段としての本発明は、ドリル装置本体に設けられたゲージ取付部の取付孔に挿入される直線状の固定棒に、気泡式水準器を固定したことを特徴とするドリル装置用角度ゲージである。
【００１２】
又、上記ドリル装置用角度ゲージにおいて、前記気泡式水準器は、丸型の密閉容器を備え、前記気泡式水準器は前記固定棒の長手方向に対し直交する面と水平に設置したことを特徴とするドリル装置用角度ゲージである。
【００１３】
又、上記ドリル装置用角度ゲージにおいて、前記気泡式水準器は、水平管型の密閉容器を備え、前記気泡式水準器は前記固定棒の長手方向に対し前記水平管型の密閉容器の長手方向を平行に設置したことを特徴とするドリル装置用角度ゲージである。
【００１４】
又、上記ドリル装置用角度ゲージにおいて、前記固定棒には、２個の気泡式水準器を固定し、１個の気泡式水準器は、丸型の密閉容器を備え、前記固定棒の長手方向に対し直交する面と水平に設置し、他の１個の気泡式水準器は、水平管型の密閉容器を備え、前記固定棒の長手方向に対し前記水平管型の密閉容器の長手方向を平行に設置したことを特徴とするドリル装置用角度ゲージである。
【００１５】
又、上記ドリル装置用角度ゲージにおいて、前記気泡式水準器は、前記丸型の密閉容器を保持し、前記固定棒に固定する支持部を備え、該支持部の上下面に目視孔を設けたことを特徴とするドリル装置用角度ゲージである。
【００１６】
又、上記ドリル装置用角度ゲージにおいて、前記気泡式水準器は、前記水平管型の密閉容器を保持し、前記固定棒に固定する支持部を備え、該支持部の上下及び両側面に目視孔を設けたことを特徴とするドリル装置用角度ゲージである。
【００１７】
又、上記ドリル装置用角度ゲージにおいて、前記気泡式水準器を前記固定棒の長手方向の略中央位置に固定し、前記固定棒の前記気泡式水準器の固定部位から一方の先端までの部分と他方の先端までの部分を異なる断面形状に形成したことを特徴とするドリル装置用角度ゲージである。
【００１８】
又、上記ドリル装置用角度ゲージにおいて、前記固定棒に前記気泡式水準器を照らす照明機構を設けたことを特徴とするドリル装置用角度ゲージである。
【００１９】
更に、上記何れかのドリル装置用角度ゲージを、前記固定棒をドリル装置本体に設けられたゲージ取付部の取付孔に挿入して、ドリル本体に固定したことを特徴とするドリル装置である。
【発明の効果】
【００２０】
以上のような本発明によれば、ドリル装置、特に携帯用ドリル、ハンマードリルで、天井及び床等に鉛直孔又は水平孔を穿孔する際に、ドリル装置を保持する角度及び位置決めの確認を容易且つ迅速に行うことができ、鉛直孔又は水平孔の穿孔作業を正確且つ迅速に行うことを可能となった。又、気泡式水準器をドリル本体に容易、且つ正確に、錐が水平或いは鉛直に位置することを気泡式水準器が示すことが可能なように設置可能とすることが可能となった。
【００２１】
又、気泡式水準器を設置するために特別な機構を必要とせず、ドリル本体の設計に影響を与えずに、既存のドリル装置にも使用できる、汎用性のある気泡式水準器を備えたドリル装置用角度ゲージを提供することが可能となった。
【００２２】
又、メンテナンスが不要で、取替え容易で、どのような作業体勢でも容易に目視可能なドリル装置用の鉛直孔又は水平孔の穿孔作業の補助をするドリル装置用角度ゲージ器具を提供することが可能となった。
【発明を実施するための最良の形態】
【００２３】
以下本発明を図に従って詳細に説明する。ドリル装置用角度ゲージ１は、ドリル装置本体１０に取り付けられた錐１７の軸線（センターライン）Ｘが鉛直又は／及び水平に位置しているか否かを示し、ドリル装置１００での鉛直孔又は水平孔の穿孔を補助するための器具であり、図１に示すように、固定棒２及び気泡式水準器３を備えて構成されている。尚、ドリル装置はドリル全般を含むもので、ハンマードリル、振動ドリルや回転式のドリル等が含まれる。
【００２４】
固定棒２は、気泡式水準器３をドリル装置本体１０に固定するための部材であり、金属製或いは合成樹脂製等の長尺の直線状の棒体であり、ドリル装置本体１０に設けられたゲージ取付部６１、具体的にはデプスゲージ取付部又は傾きゲージ取付部の取付孔６２に挿入し、固定可能な断面形状に形成されている。ゲージ取付部６１の構成から、取付孔６２に挿入、固定される直線状の棒体は、錐１７の軸線Ｘと平行になるので、固定棒２は、取付孔６２に挿入され、固定された時に、錐１７の軸線Ｘと平行になる。
【００２５】
気泡式水準器３は、固定棒２の長手方向の先端部に固定されている。固定棒２の長さは、取付孔６２に挿入、固定した際に、先端が錐１７より後方に位置して、錐１７による穿孔を妨害しなければ特に限定されない。
【００２６】
固定棒２は、通常、ドリル装置本体１０に設けられたゲージ取付部６１の取付孔６２が断面円形又は六角形に形成されているので、断面円形又は六角形に形成している。従って、固定棒２はこれらの形状に限定されず、取付孔６２の形状に対応して、適宜の断面形状を採用することが出来る。
【００２７】
又、図２に示すように、気泡式水準器３は固定棒２の長手方向の略中央位置に固定し、気泡式水準器３の固定部位から一方の先端までの部分と他方の先端までの部分を異なる断面形状に形成することが好ましい。このような構成とすることで、取付孔６２の断面形状が異なるゲージ取付部６１を備えた複数種のドリル装置１００に使用することが可能となるからである。例えば、固定棒２は、気泡式水準器３の固定部位から一方の先端までの部分は、断面円形に形成し、気泡式水準器３の固定部位から他方の先端までの部分は断面六角形に形成した形状を採用することが出来る。これは、通常、広く流通しているドリル装置１００のドリル装置本体１０に設けられたゲージ取付部６１の取付孔６２が断面円形又は六角形に形成されているためである。
【００２８】
気泡式水準器３は、純水やアルコール等の液体３１及び気泡３２を密閉した密閉容器３０と、密閉容器３０を保持し、固定棒２に固定する支持部４を備えて構成されている。
【００２９】
密閉容器３０としては、目的の穿孔角度に対応した適宜のものを用いることが出来、例えば、全方向面の水平を図ることが出来、円状の目盛３５が付された丸型の密閉容器３０１や、周方向に亘って設けられた２本の目盛３６が付され一方向の水平を測ることが出来る、タル型を含む円筒状の水平管型の密閉容器３０２等を用いることが出来る。
【００３０】
支持部４は合成樹脂等を用いて成形し、支持部４の固定棒２への固定は、接着剤を用いて固定するが、ネジを固定棒２及び支持部４に設けたネジ孔に螺入して固定し或いは支持部４に固定棒２を挿入させて嵌合する挿入孔を設け、該挿入孔に固定棒２を挿入、嵌合して固定してもよい。又、支持部４と固定棒２を一体成形し、支持部４に密閉容器３０を嵌め込む構成としてもよい。
【００３１】
錐１７が鉛直に位置するか否かを測るため、即ち鉛直の孔を穿孔する際には、例えば丸型の密閉容器３０１を備えた気泡式水準器３を用いることが出来、図１及び２に示すように、固定棒２が鉛直の際に丸型の密閉容器３０１を備えた気泡式水準器３が水平を示すように、気泡式水準器３は固定棒２の長手方向に対し直交する面と水平に設置している。
【００３２】
丸型の密閉容器３０１を備えた水準器３は、丸型の密閉容器３０１を、上方向からその状態を確認出来るように、支持部４の上面にのみ目視孔４２を設ける構成でもよいが、上下方向、即ち、固定棒２の長手方向両側からその状態を確認出来るように、支持部４の上下両面に目視孔４２を設けることが好ましい。このような構成とすることで、水準器３の向きに関わりなく、錐１７を上下の何れに向けて穿孔作業を行う際にも、例えば天井及び床に穿孔作業を行う場合にも、錐１７の鉛直状態を確認することが出来る。更に、この場合、密閉容器３０の上下両面に円状の目盛３５を付すことが好ましい。尚、図５に示すように、支持部４が透明な合成樹脂にて密閉容器３０１と一体に形成された水準器３を用いることも出来る。
【００３３】
そして、上述のような構成から、丸型の密閉容器３０１を備えた気泡式水準器３が水平を示した時、固定棒２が鉛直であり、従っては錐１７も鉛直であることがわかる。
【００３４】
又、錐１７が水平に位置するか否かを測るため、即ち水平の孔を穿孔する際には、例えば水平管型の密閉容器３０２を備えた気泡式水準器３を用いることが出来、図４に示すように、固定棒２が水平の際に水平管型の密閉容器３０２を備えた気泡式水準器３が水平を示すように、気泡式水準器３は固定棒２の長手方向に対し密閉容器３０２の長手方向を平行に設置している。
【００３５】
水平管型の密閉容器３０２を備えた水準器３は、水平管型の密閉容器３０２を、一方向、例えば上方向からその状態を確認出来るように、支持部４の上面に目視孔を設ける構成でもよいが、多方向、例えば上下及び両側面方向からその状態を確認出来るように、支持部４の上下及び両側面に目視孔を設けることが好ましい。更に、密閉容器３０２の周方向のいずれからもその状態を確認出来るように設置することがより好ましく、図４や５に示すように、支持部４が透明な合成樹脂にて密閉容器３０２と一体に形成された水準器３を用い、或いは支持部４の周面に複数の目視孔を設けることが好ましい。
【００３６】
そして、上述のような構成から、水平管型の密閉容器３０２を備えた気泡式水準器３が水平を示した時、固定棒２が水平であり、従っては錐１７も水平であることがわかる。
【００３７】
又、図５に示すように、固定棒２に、丸型の密閉容器３０１を備えた気泡式水準器３及び水平管型の密閉容器３０２を備えた気泡式水準器３の双方を設置することとしてもよい。このような構成とすることで、１個のドリル装置用角度ゲージ１で錐１７の水平状態及び鉛直状態を指示することが出来、いちいち水平用、鉛直用のドリル装置用角度ゲージ１に交換する必要がなく便利である。
【００３８】
又、図示はしないが、錐１７が鉛直に位置するか否か、即ち鉛直の孔の穿孔用のドリル装置用角度ゲージ１として、２個の水平管型の密閉容器３０２を夫々固定棒２に対し直角に固定すると共に、相互に直角に位置させて構成することとしてもよい。この場合、支持部４を夫々の密閉容器３０２毎に設けてもよいが、２個の密閉容器３０２を同時に支持する１個の支持部４を用いることとしてもよい。
【００３９】
固定棒３には、図３に示すように、気泡式水準器３を照らすための照明機構５を設けることとしてもよい。このような構成とすることで、暗い場所での作業でも、気泡式水準器３、特に気泡及び目盛を容易に確認することが出来るので、便利である。
【００４０】
照明機構５は、例えば、ハウジング５１にＬＥＤ５２、図示しないボタン電池等の電源、スイッチ等を設置し、該スイッチによりＬＥＤの点灯、消灯を行う構成とし、ハウジング５１を固定棒３に接着等により固定して構成することが出来る。  
【００４１】
ゲージ取付部６１のドリル装置本体１０への取付位置は特に限定されないが、気泡式水準器３の視認性の観点から、ドリル装置１００に通常設けられている位置、ドリル装置本体１の側面上部や背部の側端に設置することが好ましい。
【００４２】
上記のような構成により、ゲージ取付部６１の取付孔６２にドリル装置用角度ゲージ１を取り付けると、固定棒３は錐１７の軸線Ｘと平行に位置し、固定棒３が水平であれば、錐１７は水平であり、固定棒３が鉛直であれば、錐１７は鉛直である。尚、固定棒２は、ドリル装置１００の前方から後方へ向けて挿入して設置してもよく、ドリル装置１００の後方から前方へ向けて挿入して設置してもよい。
【００４３】
次に本発明の使用について説明する。天井や床等に鉛直孔を穿孔する場合には、丸型の密閉容器３０１を備えた気泡式水準器３を、固定棒２の長手方向に対し直交する面と水平に設置したドリル装置用角度ゲージ１を、ゲージ取付部６１の取付孔６２に取り付け、錐１７の先端を穿孔対象面に当接させ、気泡式水準器３が、目盛３５内に気泡３２が入り、気泡式水準器３が水平状態になったこと、即ち固定棒２および錐１７が鉛直になったことを確認して、穿孔を開始する。このようにして、容易に鉛直孔を穿孔することが出来る。
【００４４】
又、壁等に水平孔を穿孔する場合には、水平管型の密閉容器３０２を備えた気泡式水準器３を固定棒２の長手方向に対し密閉容器３０２の長手方向を平行に設置したドリル装置用角度ゲージ１を、ゲージ取付部６１の取付孔６２に取り付け、錐１７の先端を穿孔対象面に当接させ、気泡式水準器３が、２本の目盛３６内に気泡３２が入り、気泡式水準器３が水平状態になったこと、即ち固定棒２および錐１７が水平になったことを確認して、穿孔を開始する。このようにして、容易に水平孔を穿孔することが出来る。
【００４５】
ドリル装置としては、ドリル装置本体にゲージ取付部６１を有する公知のドリル装置１００を用いることが出来る。ゲージ取付部６１の構成は特に限定されず、公知のゲージ取付部を用いることが出来き、例えば、ゲージ取付部６１は、取付孔６２を有し、取付孔６２を拡大、縮小可能とする、取付孔６２に達する開口部６３が設けられると共に、該開口部６３の両側に位置する張出部６４，６４の夫々に螺子孔６５，６５を設け、ハンドル７の先端に設けた螺子７１を螺入することにより、ハンドル７をドリル装置本体１０に固定すると共に、取付孔６２を縮小させて、取付孔６２に挿入された固定棒２を固定する構成とすることが出来る。
【００４６】
尚、本発明のドリル装置用角度ゲージ及びドリル装置を各種実施例を挙げて説明したが、本発明がこれらの実施例に限定されるものではなく、又、これらの実施例の形状、構成から適宜選択し、組合わせて構成することができることは明らかである。
【図面の簡単な説明】
【００４７】
【図１】本発明ドリル装置用角度ゲージの第一実施例斜視図
【図２】本発明ドリル装置用角度ゲージの第二実施例斜視図
【図３】本発明ドリル装置用角度ゲージの第三実施例斜視図
【図４】本発明ドリル装置用角度ゲージの第四実施例斜視図
【図５】本発明ドリル装置用角度ゲージの第五実施例斜視図
【図６】本発明ドリル装置の一実施例側面図
【図７】本発明ドリル装置の一実施例正面図
【符号の説明】
【００４８】
１      ドリル装置用角度ゲージ
１０    ドリル装置本体
１７    錐
１００  ドリル装置
２      固定棒
３      気泡式水準器
３０    密閉容器
３０１  丸型の密閉容器
３０２  水平管型の密閉容器
４      支持部
５      照明機構
５１    ハウジング
５２    ＬＥＤ
６１    ゲージ取付部
６２    取付孔
６３    開口部
６４    張出部
６５    螺子孔
７      ハンドル
７１    ハンドルの螺子
【図１】
2010023204.tif 000003
【図２】
2010023204.tif 000004
【図３】
2010023204.tif 000005
【図４】
2010023204.tif 000006
【図５】
2010023204.tif 000007
【図６】
2010023204.tif 000008
【図７】
2010023204.tif 000009